(57)【要約】      （修正有）【課題】自然石ブロックを河川の根固工或いは護岸工として容易迅速且つ、効率良く施工できるようにする。【解決手段】通常の径、大きさを有する多数の自然石を相互に隣接する如く配設して下部自然石群２Ａとし、該下部自然石群２Ａの上面に一体化用金網３を載置し、更に、該金網３の上面から該金網３の網目を介して前記下部自然石群２Ａの各自然石２，２…上面を穿孔し、該穿孔部４に凝固剤５を注入し、一方、予めアンカー材６を突設して成る多数の自然石を用意しておき、該自然石の各アンカー材を前記金網３の網目を介して前記各下部自然石２Ａの各穿孔部４，４…に挿入して上部自然石群２Ｂを形成し、該下部自然石２Ａの夫々の穿孔部４，４…に注入されている凝固剤５の硬化にて下部自然石群２Ａ、金網３及び上部自然石群２Ｂを一体的に結合させる。【選択図】図４
2005171687.tif 000002
【特許請求の範囲】
【請求項１】
河川において根固工或いは護岸工等を施工するとき、設置位置を予め整地し該設置位置に通常の径、大きさを有する多数の自然石を相互に隣接する如く配設して下部自然石群とし、該下部自然石群の上面に一体化用金網を載置し、更に、該金網の上面から該金網の網目を介して前記下部自然石群の各自然石上面を穿孔し、該穿孔部に凝固剤を注入し、
一方、予めアンカー材を突設して成る多数の自然石を用意しておき、該自然石の各アンカー材を前記金網の網目を介して前記各下部自然石の各穿孔部に挿入して上部自然石群を形成し、該下部自然石の夫々の穿孔部に注入されている凝固剤の硬化にて下部自然石群、金網及び上部自然石群を一体的に結合させて構築されることを特徴とする自然石ブロックの施工法。
【請求項２】
上記金網はネット、魚網、グリッドから成ることを特徴とする請求項１記載の自然石ブロックの施工法。
【請求項３】
上記自然石ブロックの自然石は大きさを異にして配設されることを特徴とする請求項１又は２記載の自然石ブロックの施工法。
【請求項４】
上記自然石ブロックは自然石を前記金網を挟んで３層構造に形成したことを特徴とする請求項１、２又は３記載の自然石ブロックの施工法。
【発明の詳細な説明】
【技術分野】
【０００１】
この発明は自然石ブロックの施工法に関し、特に、河川における根固工或いは護岸工等に適用される自然石ブロックの施工法に関するものである。
【背景技術】
【０００２】
従来、コンクリートブロツク或いはコンクリート連結ブロック又は自然石連結ブロックを河川の根固工、護岸工等に施工する場合には、予め前記連結ブロックを施工ヤードで製作し、そして、大規模のクレーンにて該連結ブロックを吊上げ乍ら所定の設置場所に据え付けて設置するか、或いは品質管理のメリットから前記連結ブロックを工場で製造し、之をトラックにて運搬して仮置ヤードに搬入し、之をクレーンで吊り上げ乍ら設置場所に据え付けて施工している。而して、かかる施工法は大規模のクレーンや仮置、設置場所の整地等が必要となり、多くの時間と手間を費やしている。
【０００３】
又、コンクリートブロックを用いる場合は、景観的にも自然環境にマッチせず、地球環境的にも好ましくない二酸化炭素を発生させるセメントが使用されているので最近では、特に、河川環境に最も適応する自然石連結ブロックを用いて施工する方法が知られている（特許文献１）。而して、この特許文献１に開示されている自然石連結ブロックによる施工法の場合も、予め該自然石連結ブロックを施工ヤードで製造し、之を大規模のクレーンで吊り上げ乍ら所定の設置場所に据え付けて施工するのであるが、該自然石連結ブロックは隣接相互の自然石を穿孔して接合孔を設け、そして、穿孔された隣接相互の自然石の夫々の接合孔に亘ってワイヤー、チェーン等の可撓性金属線状接合材を挿入し、該穿孔部に接合剤を充填して自然石相互が水平状に連結されて成るものである。而して、特に、該自然石連結ブロックを河川の根固工或いは護岸工として採択する場合は、流速に充分に耐え得る質量を有する大塊状のものが選定されねばならないが、このような大塊状の自然石は入手することが極めて困難である。
【０００４】
そこで、一般に容易に入手できる自然石を用いて該自然石を水平状に連結して成る自然石連結ブロックを河川の根固工或いは護岸工として施工すれば、河川の流速に対して充分に安定的質量を維持することができず、破壊脱落すると云う欠陥が生じる。
【特許文献１】特開平８−２８４９０７号公報
【発明の開示】
【発明が解決しようとする課題】
【０００５】
上記従来例の欠陥に鑑み、容易に入手できる自然石を用い、且つ、河川流速に対して安定した質量を有する自然石ブロックを河川の根固工或いは護岸工等として容易迅速且つ、コスト的にも有利な施工を可能にするために解決せられるべき技術的課題が生じてくるのであり、本発明は該課題を解決することを目的とする。
【課題を解決するための手段】
【０００６】
本発明は上記目的を達成するために提案されたものであり、河川において根固工或いは護岸工等を施工するとき、設置位置を予め整地し該設置位置に通常の径、大きさを有する多数の自然石を相互に隣接する如く配設して下部自然石群とし、該下部自然石群の上面に一体化用金網を載置し、更に、該金網の上面から該金網の網目を介して前記下部自然石群の各自然石上面を穿孔し、該穿孔部に凝固剤を注入し、一方、予めアンカー材を突設して成る多数の自然石を用意しておき、該自然石の各アンカー材を前記金網の網目を介して前記各下部自然石の各穿孔部に挿入して上部自然石群を形成し、該下部自然石の夫々の穿孔部に注入されている凝固剤の硬化にて下部自然石群、金網及び上部自然石群を一体的に結合させて構築されて成る自然石ブロックの施工法、及び、上記金網はネット、魚網、グリッドから成る自然石ブロックの施工法、並びに、上記自然石ブロックの自然石は大きさを異にして配設されて成る自然石ブロックの施工法、及び、上記自然石ブロックは自然石を前記金網を挟んで３層構造以上に形成して成る自然石ブロックの施工法を提供するものである。
【発明の効果】
【０００７】
本発明の自然石ブロックを構成する各自然石は容易に入手できるものが採択されているが、上下の自然石群は金網を挟んで２層或いはそれ以上に現場施工されるのであるから全体は一体的に強固に結合されて構築され、単位面積当たりの重量が増大し、河川流速に対して安定した質量を有することになり、構築された構造物が該流速等によって破壊されて脱落すると云うことはなくなる。
【０００８】
更に又、河川の根固工或いは護岸工として施工するとき、設置位置に入手困難な大塊状の自然石ではなく、容易に入手できる自然石を並べて下部自然石群とし、そして、該下部自然石群の上面に金網を被せ、更に、該金網の上面から前記下部自然石群の各自然石上面を穿孔して該穿孔部に凝固剤を注入し、該凝固剤が硬化しない間に予めアンカー材を突設して成る自然石を用意しておき、該自然石のアンカー材を下部自然石の前記穿孔部に夫々挿入して上部自然石群を形成し、該凝固剤の硬化によって下部自然石群、金網及び上部自然石群（之等は２層に限定されずそれ以上であってもよい）を一体的に結合することにより施工されるので、之等結合された自然石ブロックは施工ヤード或いは工場で予め製造されるものではない。従って、トラックによる運搬又は大規模のクレーン等を用いる必要がなく、且つ、自然石ブロックの仮置場所も不要となるため、施工が簡易迅速に実施できると同時に経済的にも極めて有利となる。
【０００９】
又、使用する用途、機能に応じて自然石の大きさを変化させることも可能であり、かかる場合に於いては特に、自然石と自然石との間に形成される空間が生態系に生息し易い環境を形成することができる。
【００１０】
更に又、金網もネット、魚網、グリッドを用いることにより強靱性、不触性が維持され、且つ、河川等に対する構造物としての構築作業も該金網によって上下の自然石が強固に一体的に結合され、上下の自然石のズレ止め及びクッションとしての作用効果も期待できる。
【００１１】
又、本発明は施工場所の状況に合せて自由な配置に設置でき、更に、オーダー的な構築も可能となり、工事の省力化、工費の低減等も可能となる。更に又、本発明の自然石ブロックの施工法は設置地盤の不陸、構造物の大きさ、空隙率、施工高等生態系を充分に配慮して各構造物を構築できる点に利点がある。又、その不規則性は自然の景観、局所的な構造を維持するなど環境に優しい構造に施工できる等、正に諸種の著大なる効果を奏する発明である。
【発明を実施するための最良の形態】
【００１２】
河川の根固工或いは護岸工としての構造物の設置個所に直接自然石を配置し、金網を挟んで上下の二重構造以上の自然石ブロックを一体的に結合させて施工することにより、前記根固工或いは護岸工として高い安定性と同時に、施工性と経済性の向上を実現した。
【実施例】
【００１３】
以下、本発明の一実施例を図１乃至図６に従って詳述する。図１乃至図５は本発明を河川の根固工として実施する状態を示す解説図、図６は護岸工として実施した状態を示す解説図である。本発明に於いては、自然石ブロックを河川の根固工（又は護岸工）として採択して実施するとき対象河川に存在し、容易に入手できる自然石２又はその近辺にある自然石２等を用いるものとする。
【００１４】
図１乃至図５に於いて、河川１の根固工を施工する際には、先ず図１に示すように、根固工の設置場所１ａを予め或る程度整地し、そして、該設置場所１ａ上面に前記自然石２，２…を水平状に配設して下部自然石群２Ａとし、次いで、図２に示す如く、該下部自然石群２Ａ上面に金網３を被せる。該金網３はネット、魚網、グリッド等から成り、且つ、強度、不触性、作業性を考慮し、面積は３ｍ〜１０ｍ×１０ｍ〜５０ｍ程度のものが選択されるを可とする。
【００１５】
次に、図３に示す如く、前記下部自然石群２Ａ上面に被せられた前記金網３の網目を介して、下部自然石群２Ａの夫々の自然石２，２…上面に穿孔機（図示せず）を用いて穿孔し、そして、該穿孔部４，４…に凝固剤５，５…を混入しておく。
【００１６】
一方、上部自然石群２Ｂを構成する各自然石２，２…を用意しておくのであるが、該自然石２，２…は予め穿孔され、該穿孔部にアンカー材６の一側部が夫々挿入されて凝固剤（図示せず）により固設され、各自然石２表面に該アンカー材６が夫々突設されている。そこで、図４に示す如く、該上部自然石群２Ｂを構成する各自然石２，２…に夫々突設されている前記アンカー材６，６…を前記下部自然石群２Ａを構成する各自然石２，２…上面の前記穿孔部４，４…に前記金網３の網目を介して挿入し、前記凝固剤５，５…の硬化によって上部の各自然石２，２…を下部の夫々対峙する自然石２，２…に結合するとともに、図５に示す如く、上部自然石群２Ｂは前記金網３によって下部自然石群２Ａと一体的に強固に結合され河川流速に充分に耐え得る根固工を形成することができる。又、前記上部自然石群２Ｂを下部自然石群とし、そして、前述と同様に他の金網３を介して３層目の上部自然石群（図示せず）を構築することもできる。然るときは、更に河川流速に対応できる強固な構造物を得ることが可能となる。
【００１７】
又、前記自然石２，２…の大きさを夫々変化させることにより、該自然石２，２…間に適正な空間部が形成でき、魚の稚魚やプランクトン等の繁殖に適し、更に又、流下土砂の堆積による水生植物７，７…が繁茂する環境や昆虫類の生息空間も自然に生成されることになる。
【００１８】
又、図６は本発明を河川１の護岸工に実施した状態を示すのであるが、施工順序及び構成並びに作用効果は前述の根固工と全く同一であるからその説明は省略するものとする。
【００１９】
尚、本発明は、本発明の精神を逸脱しない限り種々の改変を為すことができ、そして、本発明が該改変されたものに及ぶことは当然である。
【図面の簡単な説明】
【００２０】
【図１】河川の根固工に本発明を実施するときの第１工程として、根固工の設置場所を予め整地しその場所に下部の自然石を配設した状態を示す解説縦断面図。
【図２】図１の下部自然石群の上面に金網をかぶせた状態を示す解説縦断面図。
【図３】図２の下部自然石群の各自然石上部に金網の網目を介して穿孔した状態を示す解説縦断面図。
【図４】図３の下部自然石群の各自然石の穿孔部に凝固剤を注入し、該穿孔部に金網を挟んで予め用意したアンカー材付きの自然石の該アンカー材を挿入して上部自然石群を形成し、下部自然石群、金網及び上部自然石群が一体的に結合された状態を示す解説縦断面図。
【図５】河川の根固工の完成状態を示す解説縦断面図。
【図６】本発明を河川の護岸工に実施した状態を示す解説縦断面図。
【符号の説明】
【００２１】
１          河川
１ａ        根固工の設置場所
２          自然石
２Ａ        下部自然石群
２Ｂ        上部自然石群
３          金網
４          穿孔部
５          凝固剤
６          アンカー材
【図１】
2005171687.tif 000003
【図２】
2005171687.tif 000004
【図３】
2005171687.tif 000005
【図４】
2005171687.tif 000006
【図５】
2005171687.tif 000007
【図６】
2005171687.tif 000008